(57)【要約】【課題】安価な構成で映像に応じた処理を容易かつ精度よく行うことができるようにする。【解決手段】映像処理装置２０から映像処理制御装置４０に対して例えば高画質化処理する映像を示す映像情報を、ネットワーク６０を介して送信する。映像情報には、映像処理装置２０で映像処理を行う処理部の処理能力を識別可能とするデバイス識別情報や処理する映像を識別可能とする映像識別情報を付加する。映像処理制御装置４０では、映像情報が示す映像を解析して、解析結果やデバイス識別情報に基づいて制御用データを生成して映像処理装置２０に送信する。制御用データには解析に用いられた映像に対応する映像情報を付加する。映像処理装置２０では、映像処理制御装置４０から供給された制御用データにしたがった映像処理を、制御用データに付加されている映像情報が示す映像に対して行う。【選択図】        図１
2009135816.tif 000002
【特許請求の範囲】
【請求項１】
映像処理制御装置とネットワークを介して接続される映像処理装置において、
映像処理を行う処理部と、
前記処理部で処理する映像を示す映像情報を、前記映像処理制御装置に送信する送信部と、
前記映像情報を前記映像処理制御装置に送信したことに応じて、前記映像処理制御装置から供給された制御用データを受信する受信部と、
前記処理部を制御して、前記受信部で受信した前記制御用データにしたがった映像処理を前記映像情報が示す映像に対して行わせる制御部とを有する
ことを特徴とする映像処理装置。
【請求項２】
前記送信部は、前記処理部の処理能力を前記映像処理制御装置で識別可能とするデバイス識別情報を前記映像情報に付加して送信し、
前記制御部は、前記デバイス識別情報を前記映像情報に付加して送信したことに応じて、前記映像処理制御装置から供給された前記制御用データにしたがった映像処理を行わせる
ことを特徴とする請求項１記載の映像処理装置。
【請求項３】
前記送信部は、前記処理する映像を識別可能とする映像識別情報を前記映像情報に付加して送信し、
前記制御部は、前記映像識別情報を前記映像情報に付加して送信したことに応じて、前記映像処理制御装置から供給された前記映像識別情報が付加された前記制御用データにしたがった映像処理を、該制御用データに付加されている前記映像識別情報と前記付加した映像識別情報が一致する前記映像情報が示す映像に対して行わせる
ことを特徴とする請求項２記載の映像処理装置。
【請求項４】
前記映像の記録再生を行う記録再生部を備え、
前記制御部は、前記記録再生部を制御して、前記処理部で処理される映像を記録するとき、該映像を示す映像情報を前記映像処理制御装置に送信したことに応じて供給された制御用データと関係付けて記録し、該記録された映像を再生するときには、該再生する映像に関係付けられた前記制御用データの再生を行い、該再生された制御用データにしたがった映像処理を前記再生された映像に対して行わせる
ことを特徴とする請求項３記載の映像処理装置。
【請求項５】
前記映像情報は、前記映像の映像信号、表示モードを示すモード情報、前記映像がいずれの番組の映像であるかを示す番組情報の少なくともいずれかである
ことを特徴とする請求項４記載の映像処理装置。
【請求項６】
前記映像処理制御装置は前記ネットワークを介して映像コンテンツを配信する機能を有し、
前記送信部は、映像コンテンツの配信要求を前記映像情報として送信し、
前記制御部は、前記映像情報を送信したことに応じて、前記映像処理制御装置から供給された映像に対し、前記映像処理制御装置から供給された前記制御用データにしたがった映像処理を行わせる
ことを特徴とする請求項２記載の映像処理装置。
【請求項７】
前記処理部は、前記映像処理として高画質化処理を行う
ことを特徴とする請求項１記載の映像処理装置。
【請求項８】
映像処理装置とネットワークを介して接続されて、該映像処理装置で行う映像処理を制御する映像処理制御装置において、
前記映像処理装置から供給された前記映像処理する映像を示す映像情報を受信する受信部と、
前記映像情報が示す映像を解析して、前記映像処理の制御用データを生成する制御用データ生成部と、
前記制御用データを前記映像処理装置に送信する送信部を有する
ことを特徴とする映像処理制御装置。
【請求項９】
前記制御用データ生成部は、前記受信部で受信した映像情報に前記映像処理装置の処理能力を識別可能とするデバイス識別情報が付加されているとき、該デバイス識別情報に基づいて識別した前記映像処理装置の処理能力に応じて前記制御用データを生成する
ことを特徴とする請求項８記載の映像処理制御装置。
【請求項１０】
前記制御用データ生成部は、前記受信部で受信した映像情報に映像識別情報が付加されているとき、該映像情報が示す映像を解析して生成した前記制御用データに前記映像識別情報を付加して前記送信部から送信させる
ことを特徴とする請求項９記載の映像処理制御装置。
【請求項１１】
配信する映像コンテンツを蓄積したコンテンツ蓄積部を有し、
前記制御用データ生成部は、前記受信部で受信した映像情報が映像コンテンツの配信要求を示すとき、要求された映像コンテンツを前記映像蓄積部から読み出して映像の解析を行い、解析結果と前記前記映像処理の制御用データをデバイス識別情報に基づいて識別した前記映像処理装置の処理能力に応じて前記制御用データを生成して、該制御用データと前記要求された映像コンテンツを前記送信部から送信させる
ことを特徴とする請求項８記載の映像処理制御装置。
【請求項１２】
前記制御用データ生成部は、前記映像処理の制御用データとして高画質化処理を行うためのデータを生成する
ことを特徴とする請求項８記載の映像処理装置。
【請求項１３】
ネットワークを介して映像処理装置と映像処理制御装置が接続される映像処理システムにおいて、
前記映像処理装置は、
映像処理を行う処理部と、
前記処理部で処理する映像を示す映像情報を、前記映像処理制御装置に送信する送信部と、
前記映像情報を前記映像処理制御装置に送信したことに応じて、前記映像処理制御装置から供給された制御用データを受信する受信部と、
前記処理部を制御して、前記受信部で受信した前記制御用データにしたがった映像処理を前記映像情報が示す映像に対して行わせる制御部とを有し、
前記映像処理制御装置は、
前記映像処理装置から供給された前記映像処理する映像を示す映像情報を受信する受信部と、
前記映像情報が示す映像を解析して、前記映像処理の制御用データを生成する制御用データ生成部と、
前記制御用データを前記映像処理装置に送信する送信部を有する
ことを特徴とする映像処理システム。
【請求項１４】
ネットワークを介して映像処理装置と映像処理制御装置が接続される映像処理システムの映像処理方法において、
前記映像処理装置は、
映像処理される映像を示す映像情報を、前記映像処理制御装置に送信する送信ステップと、
前記映像情報を前記映像処理制御装置に送信したことに応じて、前記映像処理制御装置から供給された制御用データを受信する受信ステップと、
前記受信ステップで受信した前記制御用データにしたがった前記映像処理を前記映像情報が示す映像に対して行う処理ステップを有し、
前記映像処理制御装置は、
前記映像処理装置から供給された前記映像処理する映像を示す映像情報を受信する受信ステップと、
前記映像情報が示す映像を解析して、前記映像処理の制御用データを生成する制御用データ生成ステップと、
前記制御用データを前記映像処理装置に送信する送信ステップを有する
ことを特徴とする映像処理方法。
【発明の詳細な説明】
【技術分野】
【０００１】
この発明は、映像処理装置と映像処理制御装置および映像処理システムと映像処理方法に関する。詳しくは、映像処理装置で映像処理例えば高画質化処理を行う際に、処理する映像を示す映像情報を映像処理制御装置に供給して、制御用データを映像処理制御装置で生成させる。また、映像処理装置では、生成された制御用データにしたがった映像処理を映像情報で示した映像に対して行うことで、映像の高画質化をはかるものである。
【背景技術】
【０００２】
従来、映像表示を行う機器例えばテレビジョン装置では、高画質の映像表示を行うことができるように、映像処理デバイスを用いて種々の映像処理がなされている。例えば、特許文献１では、ノイズ除去手段を制御するための制御用データを予め記憶手段に記憶しておき、入力された映像においてノイズが生成した階調等に応じた制御用データを制御手段が読み出してノイズ除去手段に供給することが行われている。
【０００３】
【特許文献１】特開２００６−１３９２１号公報
【発明の開示】
【発明が解決しようとする課題】
【０００４】
ところで、特許文献１の発明において、ノイズ除去精度を高めるためには、入力された映像におけるノイズを精度よく検出して最適な制御用データを選択する必要がある。しかし、ノイズを精度よく検出するためには高い性能の制御手段を用いなければならい。また、映像処理ではノイズの除去だけでなく他の信号処理も行われる。例えば、映像の内容に合わせてコントラストを調整する機能等も行われている。このような複数の映像処理を行い高画質の映像表示を行えるようにするためには、それぞれの処理を短い周期で行うあるいはそれぞれの処理を並行して行わなければならず、この点からも高い性能の制御手段を用いなければならない。このため、高い性能の制御手段を用いることでコストアップを招いてしまう。
【０００５】
さらに、記憶手段に予め記憶されている制御用データを選択的に用いて映像処理を行うものでは、選択可能な映像処理が固定されているため、映像に対してさらに最適化した映像処理を行うものとしたり、新たな映像処理を追加して行うことが容易にできない。
【０００６】
そこで、この発明では、安価な構成で映像に応じた処理を容易かつ精度よく行うことができるようにしたものである。
【課題を解決するための手段】
【０００７】
この発明の概念は、映像処理装置で映像処理を行う際に、処理する映像を示す映像情報を映像処理制御装置に供給して、映像処理の制御用データを映像処理制御装置で生成させる。この生成された制御用データにしたがった映像処理を映像処理装置で行うことにより、映像処理装置に高性能の制御部を設けなくとも、映像に応じた処理例えばノイズ除去やコントラスト調整等の処理を最適に映像処理装置で行えるようにするものである。
【０００８】
この発明の映像処理装置は、映像処理制御装置とネットワークを介して接続される映像処理装置において、映像処理を行う処理部と、処理部で処理する映像を示す映像情報を、映像処理制御装置に送信する送信部と、映像情報を映像処理制御装置に送信したことに応じて、映像処理制御装置から供給された制御用データを受信する受信部と、処理部を制御して、受信部で受信した制御用データにしたがった映像処理を映像情報が示す映像に対して行わせる制御部とを有するものである。
【０００９】
また、この発明に係る映像処理制御装置は、映像処理装置とネットワークを介して接続されて、該映像処理装置で行う映像処理を制御する映像処理制御装置において、映像処理装置から供給された映像処理する映像を示す映像情報を受信する受信部と、映像情報が示す映像を解析して、映像処理の制御用データを生成する制御用データ生成部と、制御用データを映像処理装置に送信する送信部を有するものである。
【００１０】
また、この発明に係る映像処理システムは、ネットワークを介して映像処理装置と映像処理制御装置が接続される映像処理システムにおいて、映像処理装置には、映像処理を行う処理部と、処理部で処理する映像を示す映像情報を、映像処理制御装置に送信する送信部と、映像情報を映像処理制御装置に送信したことに応じて、映像処理制御装置から供給された制御用データを受信する受信部と、処理部を制御して、受信部で受信した制御用データにしたがった映像処理を映像情報が示す映像に対して行わせる制御部とを設けて、映像処理制御装置には、映像処理装置から供給された映像処理する映像を示す映像情報を受信する受信部と、映像情報が示す映像を解析して、映像処理の制御用データを生成する制御用データ生成部と、制御用データを映像処理装置に送信する送信部を設けたものである。
【００１１】
この発明においては、映像処理装置から映像処理制御装置に対して、例えば高画質化処理する映像を示す映像情報が送信される。また映像情報には、映像処理を行う処理部の処理能力を識別可能とするデバイス識別情報や処理する映像を識別可能とする映像識別情報が付加されて送信される。映像処理制御装置では、映像情報が示す映像を解析して、この解析結果やデバイス識別情報に基づいて制御用データが生成されて、映像処理装置に送信される。また、制御用データには解析に用いられた映像に対応する映像情報が付加される。映像処理装置では、映像処理制御装置から供給された制御用データにしたがった映像処理が、制御用データに付加されている映像情報が示す映像に対して行われる。
【発明の効果】
【００１２】
この発明によれば、映像処理装置で映像処理を行う際に、処理する映像を示す映像情報が映像処理制御装置に送信されて、この映像情報の送信に応じて映像処理制御装置から供給された制御用データにしたがった映像処理が映像処理装置で行われる。このため、映像処理の制御を行う高性能な制御部を映像処理装置に設けなくとも、映像に応じた処理を行うための制御用データが映像処理制御装置から得られるので、安価な構成で映像に応じた処理を容易かつ精度よく行うことができる。
【発明を実施するための最良の形態】
【００１３】
以下、図を参照しながら、この発明の実施の一形態について説明する。図１は映像処理システムの構成を示している。映像処理システム１０は、映像処理装置２０と映像処理制御装置４０がネットワーク６０を介して接続された構成とされている。
【００１４】
映像処理装置２０は、映像処理例えば高画質に映像表示を行うための処理を行うものである。映像処理装置２０としては、例えば放送信号を受信して番組の映像表示を行うテレビジョン装置、放送信号を受信して番組の映像信号を表示装置に供給するセットトップボックス、記録媒体に記録されている映像信号を再生して表示装置に供給する記録媒体再生装置等が用いられる。映像処理装置２０は、処理する映像を示す映像情報を映像処理制御装置４０に送信する。また、映像処理装置２０は、映像情報を映像処理制御装置４０に送信したことに応じて映像処理制御装置４０から供給された制御用データを用いて、送信した映像情報が示す映像の映像処理を行う。
【００１５】
映像処理制御装置４０は、映像処理装置２０で行われる映像処理を制御するための制御用データを生成するものであり、例えばサーバ等のコンピュータ装置が用いられる。映像処理制御装置４０は、映像処理装置２０から供給された映像情報で示された映像に応じて映像処理装置２０で映像処理を行うための制御用データを生成して、映像処理装置２０に送信する。
【００１６】
ネットワーク６０は、公衆回線通信網を用いたネットワークや家庭内に設けたホームネットワーク等であり、有線あるいは無線のいずれのネットワークであってもよい。
【００１７】
図２は、映像処理装置が例えばテレビジョン装置２１であるときの構成を示している。また、図３は、映像処理制御装置が例えばサーバ４１であるときの構成を示している。図２に示すテレビジョン装置２１のチューナ部２１１は、アンテナ１５から供給された受信信号ＳRFから所望のチャンネルを選局する。また、チューナ部１１は、所望のチャンネルを選局して得られた信号の復調処理等を行い、放送番組の映像信号ＤＶaを生成して映像記憶部２１２に記憶させる。
【００１８】
映像記憶部２１２は、チューナ部１１から供給された映像信号ＤＶaを記憶する。また、後述する制御部２３１からの制御信号ＣＴに基づき、記憶した映像信号ＤＶaを読み出して記録再生部２１３あるいは処理部２１４に供給する。
【００１９】
記録再生部２１３は、記録媒体を用いて構成されており、映像記憶部２１２から供給された映像信号ＤＶaを記録媒体に記録する。また、記録再生部２１３は、記録媒体に記録された映像記憶部２１２からの映像信号、あるいは着脱可能な記録媒体に他の機器よって記録された映像信号を再生して、映像信号ＤＶbとして処理部２１４に供給する。
【００２０】
処理部２１４は、映像記憶部２１２から供給された映像信号ＤＶa、あるいは記録再生部２１３から供給された映像信号ＤＶbを用いて映像処理を行う。また、処理部２１４は、映像処理後の信号から表示駆動信号ＤＲを生成して表示部２１５に供給する。処理部２１４は、映像処理として例えば高画質化処理を行う。高画質化処理では、ノイズ除去処理やコントラスト調整処理、映像のサイズや画素数を変換する解像度変換処理、表示部２１５が非発光型の表示素子で構成されているときに用いられるバックライトの輝度調整処理等を行う。この処理部２１４で映像処理をどのように行うかは、後述する制御部２３１から供給される制御信号ＣＴによって設定される。すなわち、制御信号ＣＴによってノイズ除去処理におけるノイズ除去強度設定やコントラスト設定、解像度変換処理を行うときの変換特性の設定、バックライトの輝度設定等が行われる。
【００２１】
表示部２１５は、非発光型の表示素子例えば液晶表示素子、あるいは自己発光型の表示素子例えばＥＬ(Electro Luminescence)表示素子やプラズマディスプレイ等を用いて構成されており、表示駆動信号ＤＲに基づいて表示素子を駆動して映像表示を行う。また、非発光型の表示素子が用いられている場合、表示部２１５は、表示駆動信号ＤＲによってバックライトの輝度調整等も行う。
【００２２】
送信部２２１と受信部２２２は、ネットワーク６０を介して映像処理制御装置例えばサーバ４１と通信を行うためのものである。送信部２２１は、処理部２１４で処理される映像を示す映像情報ＪＶをサーバ４１に送信する。映像情報ＪＶは、処理部２１４で処理される映像信号そのもの（例えば所定フレーム数や所定時間分の映像信号）、あるいは処理部２１４で処理される映像のジャンルを示す情報、処理部２１４で処理される映像がどの番組の映像であるかを示す情報等が用いられる。また、送信部２２１は、映像情報ＪＶを送信する際に、処理部２１４の映像処理能力をサーバ４１で識別可能とするための識別情報（以下「デバイス識別情報ＩＤs」という）を映像情報ＪＶに付加して送信する。デバイス識別情報ＩＤsは、処理部２１４で用いられている映像処理プロセッサのメーカー名と型番、あるいはテレビジョン装置のメーカー名と型番等が用いられる。また、テレビジョン装置の仕向地に応じて異なる映像処理を行う場合、仕向地をデバイス識別情報ＩＤsに含めるものとする。さらに、解像度変換処理を行うときは、表示部２１５の解像度（画素数）が示された情報等をデバイス識別情報ＩＤsに含めるものとする。また、送信部２２１は、映像情報ＪＶをサーバ４１に送信したことに応じてサーバ４１から供給される制御用データＤＳが、いずれの映像情報ＪＶに対応するものであるかを正しく判別できるものとするため、映像情報ＪＶに識別情報（以下「映像識別情報ＩＤv」という）を付加して送信する。例えばタイムスタンプ等を映像識別情報ＩＤvとして付加して送信する。
【００２３】
受信部２２２は、サーバ４１から供給された制御用データＤＳを受信して制御部２３１に供給する。なお、制御用データＤＳには、いずれの映像情報ＪＶに対応する制御用データであるかを識別可能とするため、制御用データＤＳの生成に用いた映像情報ＪＶに付加されている映像識別情報ＩＤvが付加されている。
【００２４】
なお、テレビジョン装置では、放送局との情報のやりとりやインターネットへの接続を可能とするため通信部が設けられている。したがって、この通信部を送信部２２１と受信部２２２として利用すれば、映像情報ＪＶの送信や制御用データＤＳの受信のために、送信部２２１と受信部２２２を新たに設ける必要がなく、コストアップを防止できる。
【００２５】
制御部２３１には、ユーザインタフェース部２３２が接続されている。ユーザインタフェース部２３２は、操作キーやリモートコントロール信号受信部で構成されており、ユーザ操作に応じた操作信号ＰＳを生成して制御部２３１に供給する。
【００２６】
制御部２３１は、マイクロコンピュータやメモリ等を用いて構成されている。制御部２３１は、ユーザインタフェース部２３２からの操作信号ＰＳに基づき、制御信号ＣＴを生成して各部に供給することで、テレビジョン装置２１の動作がユーザ操作に応じた動作となるように制御する。例えば、ユーザインタフェース部２３２から供給された操作信号ＰＳによって、チャンネル切り換え操作が行われたことが示されたとき、制御部２３１は、制御信号ＣＴをチューナ部２１１に供給してユーザの選択したチャンネルを選局させる。
【００２７】
また、制御部２３１は、処理部２１４で処理する映像を示す映像情報ＪＶにデバイス識別情報ＩＤsと映像識別情報ＩＤvを付加して送信部２２１からサーバ４１に送信する処理、映像情報ＪＶを送信したことに応じてサーバ４１から供給された制御用データＤＳを記憶する処理を行う。
【００２８】
さらに、制御部２３１は、映像記憶部２１２から読み出した映像信号ＤＶaあるいは記録再生部２１３で記録媒体を再生することにより得られた映像信号ＤＶbを処理部２１４で処理する場合、処理する映像を示す映像情報ＪＶと映像識別情報ＩＤvが一致する制御用データＤＳを読み出して制御信号ＣＴとして処理部２１４に供給することで、処理する映像に応じた映像処理の設定を行う。
【００２９】
次に、サーバ４１の構成について説明する。図３に示すサーバ４１の受信部４１１は、テレビジョン装置２１から供給された映像情報ＪＶを受信して制御用データ生成部４１２に供給する。なお、映像情報ＪＶには、上述のように映像識別情報ＩＤvやデバイス識別情報ＩＤsが付加されている。
【００３０】
制御用データ生成部４１２には、デバイス情報データベース４１３が接続されている。デバイス情報データベース４１３には、映像処理デバイス毎にどのような映像処理能力であるか等を示すデバイス情報が予め登録されている。デバイス情報データベース４１３は、制御用データ生成部４１２からデバイス識別情報ＩＤsが供給されたとき、このデバイス識別情報ＩＤsに対応したデバイス情報を制御用データ生成部４１２に供給する。例えば、デバイス識別情報ＩＤsによって映像処理プロセッサのメーカー名と型番が示されているとき、このメーカー名と型番が一致する映像処理デバイスのデバイス情報が制御用データ生成部４１２に供給される。また、デバイス識別情報ＩＤsによってテレビジョン装置のメーカー名と型番が示されたとき、メーカー名と型番が一致するテレビジョン装置で用いられている映像処理デバイスのデバイス情報が制御用データ生成部４１２に供給される。
【００３１】
制御用データ生成部４１２は、映像情報ＪＶによって示されている映像、すなわちテレビジョン装置２１の処理部２１４で処理される映像の解析を行う。また、制御用データ生成部４１２は、上述のようにデバイス識別情報ＩＤsをデバイス情報データベース４１３に供給してデバイス情報を取得する。さらに、制御用データ生成部４１２は、映像の解析結果とデバイス情報に基づいて、処理される映像に応じた映像処理を行うことができるように、処理部２１４に対応した制御用データＤＳを生成して送信部４１４に供給する。
【００３２】
送信部４１４は、制御用データ生成部４１２で生成された制御用データＤＳを、映像情報ＪＶの送信元であるテレビジョン装置２１に送信する。さらに、制御用データＤＳを送信する場合、いずれの映像情報ＪＶに対応する制御用データＤＳであるかを識別可能とするため、テレビジョン装置２１から供給された映像情報ＪＶに付加されていた映像識別情報ＩＤvを、制御用データＤＳに付加して送信する。
【００３３】
また、サーバ４１に映像コンテンツの配信機能を設ける場合、サーバ４１には、配信する映像コンテンツを蓄積したコンテンツ蓄積部４１５を設ける。この場合、制御用データ生成部４１２は、テレビジョン装置２１から映像コンテンツの配信要求がなされたとき、要求された映像コンテンツをコンテンツ蓄積部４１５から読み出して映像の解析を行い、解析結果とデバイス情報に基づいて、処理部２１４に対応した制御用データを生成する。さらに、要求された映像コンテンツと生成した制御用データを送信部４１４からテレビジョン装置２１に送信させる。
【００３４】
次に、映像処理システムの動作について図４のフローチャートを用いて説明する。ステップＳＴ１でテレビジョン装置２１の制御部２３１は、映像情報送信処理を行う。制御部２３１は、処理部２１４で処理する映像を示す映像情報ＪＶを、送信部２２１からサーバ４１に送信する処理を行う。例えば制御部２３１は、処理する映像の映像信号を映像情報ＪＶとしてサーバ４１に送信する処理を行う。ここで、制御部２３１は、映像情報ＪＶを送信する際に映像識別情報ＩＤvとデバイス識別情報ＩＤsを付加して送信する。
【００３５】
ステップＳＴ１１でサーバ４１の制御用データ生成部４１２は、受信部４１１で映像情報ＪＶを受信したか否か判別する。制御用データ生成部４１２は、受信部４１１で映像情報ＪＶを受信していないときステップＳＴ１１に戻り、映像情報ＪＶを受信したときステップＳＴ１２に進む。例えば、制御用データ生成部４１２は、ステップＳＴ１でテレビジョン装置２１の送信部２２１から送信された映像情報ＪＶを受信したときステップＳＴ１２に進む。
【００３６】
ステップＳＴ１２で制御用データ生成部４１２は、デバイス情報取得処理を行う。制御用データ生成部４１２は、受信部４１１で受信した映像情報ＪＶに付加されているデバイス識別情報ＩＤsを用いて、デバイス情報データベース４１３に蓄積されているデバイス情報の検索を行い、テレビジョン装置２１の処理部２１４に対応するデバイス情報をデバイス情報データベース４１３から取得してステップＳＴ１３に進む。
【００３７】
ステップＳＴ１３で制御用データ生成部４１２は、制御用データ生成処理を行う。制御用データ生成部４１２は、映像情報ＪＶで示された映像の解析を行い、解析結果とステップＳＴ１２で取得したデバイス情報から、映像情報ＪＶで示された映像に応じた高画質化処理を行うことができるように、テレビジョン装置２１の処理部２１４に対応した制御用データＤＳを生成する。例えば、制御用データ生成部４１２は、映像の解析としてノイズ解析を行う。ここで、ノイズ量が多いときは処理部２１４で行うノイズ除去の除去強度を強く設定し、ノイズ量が少ないときは除去強度を弱く設定する制御用データＤＳを生成する。また、映像の解析として明るさの検出を行う場合、明るい映像であるときは表示部２１５で映像が明るく表示されるように、処理部２１４で行うバックライト調整でバックライトの輝度を高くし、暗い映像であるときは映像が暗く表示されるようにバックライトの輝度を低く設定する制御用データＤＳを生成する。さらに、デバイス識別情報ＩＤsで表示部２１５の解像度が示されたとき、この解像度に合わせて映像の拡大や縮小、画素の間引きや補間等を行うための制御用データＤＳを生成する。また、制御用データ生成部４１２は、映像情報ＪＶで示された映像から表示モードを判別して、表示モードに応じた映像処理が行われるように制御用データＤＳを生成するものとしてもよい。例えば映像に緑が多く、その中に小さな縦長領域(人間)がいて、右上に数字のテロップが出ているときは「サッカー」と判断して、スポーツを見るのに適した映像処理、例えばコントラストを強調するような映像処理を行う制御用データＤＳを生成する。
【００３８】
ステップＳＴ１４で制御用データ生成部４１２は、制御用データ送信処理を行う。制御用データ生成部４１２は、ステップＳＴ１１で受信した映像情報ＪＶに付加されている映像識別情報ＩＤvを、ステップＳＴ１３で生成した制御用データＤＳに付加して、送信部４１４からテレビジョン装置２１に送信してステップＳＴ１１に戻る。
【００３９】
図５は、制御用データを例示したものである。「Wait 100」「register A = 1」「register B = 0」は、制御用データＤＳに付加されている映像識別情報ＩＤvで示された映像の先頭から１００ミリ秒後に、レジスタＡを「１」、レジスタＢを「０」に設定することを示している。
【００４０】
レジスタＡは、処理部２１４における例えばノイズ除去のレベルを設定するためのレジスタであり、レジスタＡが「１」であるときはノイズ除去のレベルが「強」、レジスタＡが「２」であるときはレベルが「中」、レジスタＡが「３」であるときはレベルが「弱」に設定される。レジスタＢは、処理部２１４によって調整されるバックライトの輝度を設定するためのレジスタであり、レジスタＢの値が大きいときにはバックライトの輝度を高く、レジスタＢの値が小さいときはバックライトの輝度を低く設定することを示している。
【００４１】
また、制御用データにおける「Wait 300」「port01 = HIGH」「register C = 3」「port01 = LOW」は、「register B = 0」の設定から３００ミリ秒後に、ポート01を「HIGH」、レジスタＣを「３」に設定して、その後ポート01を「LOW」とすることを示している。
【００４２】
このように、図５に示す制御用データＤＳは、処理部２１４を制御する手順(プログラム)に相当するものである。なお、図５では、処理部２１４を制御する手順を示しているが、手順だけでなく個々の設定のみを示すものであってよい。
【００４３】
テレビジョン装置２１の制御部２３１は、ステップＳＴ２で制御用データＤＳを受信したか否か判別する。制御部２３１は、受信部２２２で制御用データＤＳを受信したときステップＳＴ３に進み、制御用データＤＳを受信していないときステップＳＴ４に進む。
【００４４】
ステップＳＴ３で制御部２３１は、制御用データＤＳを記憶してステップＳＴ４に進む。
【００４５】
ステップＳＴ４で制御部２３１は、処理待ちの映像があるか否か判別する。制御部２３１は、送信した映像情報ＪＶによって示された映像であって映像処理がまだ行われていない映像（以下「処理待ちの映像」という）があるか判別する。制御部２３１は、処理待ちの映像があるときステップＳＴ５に進み、処理待ちの映像がないときステップＳＴ８に進む。
【００４６】
ステップＳＴ５で制御部２３１は処理待ちの映像に対応する制御用データＤＳが記憶されているか否か判別する。制御部２３１は、処理待ちの映像について、この映像を示す映像情報と映像識別情報ＩＤvが一致する制御用データＤＳが記憶されていないと判別したときステップＳＴ６に進み、映像識別情報ＩＤvが一致する制御用データＤＳが記憶されていると判別したときステップＳＴ７に進む。
【００４７】
ステップＳＴ６で制御部２３１は、再生終了操作が行われたか否かを判別する。制御部２３１は、再生終了操作が行われていないとき、すなわち操作信号ＰＳが再生終了操作を示していないときはステップＳＴ２に戻り、再生終了操作が行われたとき動作を終了する。
【００４８】
ステップＳＴ７で制御部２３１は、映像処理を行う。制御部２３１は、処理待ちの映像に対応する制御用データＤＳを読み出して処理部２１４に供給することで、処理部２１４の設定を行う。さらに、制御部２３１は、処理待ちの映像を処理部２１４に供給させる。すなわち、制御部２３１は、処理待ちの映像とこの映像に対応する制御用データＤＳを同期して処理部２１４に供給して、処理待ちの映像の処理を処理部２１４で開始させてステップＳＴ８に進む。なお、映像処理が行われて不要となった制御用データＤＳは削除する。
【００４９】
ステップＳＴ８で制御部２３１は、再生終了操作が行われたか否かを判別する。制御部２３１は、再生終了操作が行われていないときステップＳＴ１に戻り、再生終了操作が行われたとき動作を終了する。
【００５０】
このように、テレビジョン装置２１は、処理する映像を示す映像情報ＪＶをサーバ４１に供給する。また、サーバ４１は、映像情報ＪＶで示された映像の解析を行い、解析結果に応じた制御用データＤＳを生成してテレビジョン装置２１に供給する。さらに、テレビジョン装置２１は、サーバ４１から供給された制御用データＤＳにしたがった映像処理を、映像情報ＪＶで示された映像に対して行う。
【００５１】
このため、テレビジョン装置２１では、映像の解析例えばノイズの検出や映像の内容の確認等を行う必要がないことから、高い性能の制御部を用いる必要がなく、テレビジョン装置２１を安価に構成できる。
【００５２】
また、映像や制御用データＤＳを記憶するものとして、映像処理を行うときに、処理する映像と制御用データが読み出されて映像処理が行われる。したがって、映像情報ＪＶの送信と制御用データＤＳを用いた映像処理は非同期の動作となり、制御用データＤＳがある程度記憶されてから映像処理を開始すれば、制御用データＤＳの生成に要する時間や通信のタイミング等にばらつきを生じても、このばらつきを吸収して途切れなく高画質の映像表示を行うことも可能となる。
【００５３】
さらに、サーバ４１において、処理する映像や映像処理デバイスに応じた制御用データＤＳを生成することから、映像に対してさらに最適化した映像処理を行うものとしたり、新たな映像処理を追加して行う場合、サーバ４１における制御用データ生成部４１２の動作を変更すればよい。したがって、個々のテレビジョン装置２１で、制御用データの生成動作を更新したり変更する処理を行わなくとも、さらに最適化した映像処理や新たな映像処理を行うことができる。
【００５４】
例えば、新たに放送される番組が、従来の映像処理とは異なる処理を行うことで高品質な映像表示が可能となる場合、従来のようにテレビジョン装置の内部で映像処理の設定を行うものとすると、操作になれた人でなければ処理部２１４を新たな番組に対応する設定とすることができない。しかし、映像に応じた制御用データをサーバ４１から供給するようにしたことで、サーバ４１の制御用データ生成部４１２の動作を変更するだけで、個々のテレビジョン装置２１における映像処理の設定変更操作等を行わなくとも、新たな番組に対応した映像処理を容易に行わせることができる。さらに、多チャンネル化やコンテンツの多様化、あるいはユーザの好みの多様化が生じても、容易に対応することが可能となる。
【００５５】
また、映像情報ＪＶにデバイス識別情報ＩＤsが付加されてサーバ４１に供給されることから、テレビジョン装置２１やテレビジョン装置２１で用いられる映像処理デバイスの種類が増えても、サーバ４１における制御用データ生成部４１２の動作やデバイス情報データベース４１３のデバイス情報を更新するだけで、それぞれのテレビジョン装置２１に対応した制御用データＤＳをサーバ４１から供給できる。
【００５６】
また、サーバの大容量化を図れば、細かな設定等を数多く用意しておくことも可能となる。このため、個々の装置毎にユーザがどのような映像を好むか、例えば暗めの映像やコントラストの高い映像が好みである等の情報をサーバに登録しておき、デバイス識別情報ＩＤsに装置固有の情報あるいはユーザ固有情報を含めるものとすれば、同じ機種や同じ映像処理プロセッサを用いた装置でも、個々の装置やユーザ毎に好みの映像が得られるよう制御用データをサーバで生成してテレビジョン装置に供給することも可能となる。
【００５７】
なお、映像情報ＪＶや制御用データＤＳには映像識別情報ＩＤvが付加されているので、異なる映像に対応して生成された制御用データが映像処理で用いられてしまうことを防止することができる。
【００５８】
ところで、上述の実施の形態では、処理部２１４で処理する映像を示す映像情報ＪＶとして、処理する映像の映像信号をサーバ４１に送信するものとしたが、映像情報ＪＶは、映像信号に限られるものではない。例えば、映像情報ＪＶとして表示モードを示すモード情報を送信するものとしてもよい。表示モードとしては、リアルな階調表現を重視してくっきりとした映像を表示できるようにする「シネマモード」、コントラストを重視して動きのある映像を見やすくする「スポーツモード」、標準的な画質で映像表示を行う「ノーマルモード」など複数の表示モードを設ける。制御部２３１は、ユーザによって選択された表示モードを映像情報ＪＶとしてサーバ４１に送信する。
【００５９】
また、表示モードは自動的に選択するようにしてもよい。テレビジョン放送では、電子プログラムガイド(EPG:Electronic Program Guide)が用意されており、電子プログラムガイドでは、放送番組の名称や放送時間だけでなく番組ジャンルの情報も含まれている。したがって、この番組ジャンルの情報に基づいて表示モードを自動的に設定して、設定した表示モードを映像情報ＪＶとして送信する。この場合、映像信号ＤＶaを映像記憶部２１２に記憶するとき、電子プログラムガイドで示された番組ジャンルの情報を映像信号ＤＶaに付加しておく。また、映像記憶部２１２に記憶されている映像信号ＤＶaを読み出して処理部２１４で処理する際に番組ジャンルの情報も読み出して、例えば番組ジャンルの情報が「サッカー」の番組であることを示しているとき表示モードを「スポーツモード」、番組ジャンルの情報が「映画」の番組であることを示しているとき表示モードを「シネマモード」に設定する。
【００６０】
サーバ４１は、映像情報ＪＶで表示モードが示されたとき、表示モードで示された画質で映像表示を行うことができるように処理部２１４で映像処理を行わせるための制御用データＤＳを生成してテレビジョン装置２１に送信する。例えば、映像情報ＪＶで「スポーツモード」が示されたとき、処理部２１４でコントラストを高める映像処理を行うように制御用データＤＳを生成する。
【００６１】
このように、映像情報ＪＶとして表示モードをサーバ４１に送信して、表示モードに応じた制御用データをサーバ４１で生成すれば、サーバ４１からの制御用データＤＳを用いて処理部２１４の設定を行うことで、処理する映像のジャンルに適した映像処理を行うことができる。
【００６２】
また、処理部２１４は、処理する映像を示す映像情報ＪＶとして、処理する映像の番組を示す番組情報を送信するものとしてもよい。この場合、映像信号ＤＶaを映像記憶部２１２に記憶するとき、どのような番組の映像信号ＤＶaであるか識別可能となるように番組情報（例えは放送日時や放送チャンネル、番組名等）を映像信号ＤＶaに付加しておく。また、映像記憶部２１２に記憶されている映像信号ＤＶaを読み出して処理部２１４で処理する際に番組情報も読み出して、この番組情報をサーバ４１に送信する。
【００６３】
サーバ４１は、放送番組の映像信号を蓄積しておき、映像情報ＪＶすなわち番組情報で示された番組の映像信号を読み出して解析等を行い、制御用データＤＳを生成してテレビジョン装置２１に送信する。このようにすれば、映像情報ＪＶとして映像信号を送信した場合と同様な制御用データＤＳをサーバ４１からテレビジョン装置２１に供給することができる。
【００６４】
また、サーバ４１が映像コンテンツの配信機能を有しており、テレビジョン装置２１では、サーバ４１から配信された映像コンテンツを処理して映像表示を行う場合、テレビジョン装置２１は、映像コンテンツの要求信号をサーバ４１に送信する。なお、要求信号にはデバイス識別情報ＩＤsを付加する。サーバ４１は、要求信号で要求された映像コンテンツをコンテンツ蓄積部４１５から読み出して映像の解析を行う。またサーバ４１は、デバイス識別情報ＩＤsに対応したデバイス情報の取得を行い、解析結果とデバイス情報に基づいてテレビジョン装置２１の処理部２１４に対応した制御用データＤＳを生成する。また、サーバ４１は、要求信号で要求された映像コンテンツをテレビジョン装置２１に供給する際に、生成した制御用データＤＳも合わせてテレビジョン装置２１に供給する。
【００６５】
このようにすれば、テレビジョン装置２１では、選局した所望の番組の映像だけでなく、ネットワーク６０を介してサーバ４１から配信される映像コンテンツを表示部２１５で表示する場合であっても、処理する映像に応じた映像処理が行われて高画質の映像表示を行うことができる。
【００６６】
また、記録再生部２１３に設けられている記録媒体から映像信号ＤＶbを読み出して処理部２１４で処理する場合、記録媒体から読み出した映像信号ＤＶbを映像情報ＪＶとしてサーバ４１に送信する。また、映像情報ＪＶの送信に応じてサーバ４１から供給された制御用データＤＳに基づいて処理部２１４を制御して映像処理を行う。
【００６７】
さらに、記録再生部２１３に設けられている記録媒体に映像を記録する場合、記録する映像を示す映像情報をサーバ４１に送信する。また、映像情報の送信に応じてサーバ４１から供給された制御用データを、映像情報に対応する映像信号と関係付けて記録媒体に記録する。このように、映像信号と制御用データを関係付けて記録媒体に記録すれば、記録されている映像信号を処理部２１４で処理するとき、映像信号と映像信号に関係付けられている制御用データを処理部２１４に供給すれば、処理する映像に応じた映像処理を行うことができる。すなわち、サーバ４１から制御用データＤＳを取得する必要がなく、容易かつ速やかに映像処理を開始できる。
【００６８】
また、記録媒体に映像信号と複数機種毎等の制御用データを記憶しておき、記録された映像信号を読み出して処理部２１４で処理するとき、処理部２１４に対応した制御用データを選択的に読み出して用いるものとすれば、この場合にもサーバ４１から制御用データＤＳを取得する必要がなく、容易かつ速やかに映像処理を開始できる。
【００６９】
さらに、記録媒体に記録された映像に、表示モードや番組情報、コンテンツのタイトル等を関係付けて記録しておけば、上述のように表示モード等を映像情報ＪＶとしてサーバ４１に供給して、サーバ４１から供給された制御用データによって表示モード等に対応した映像処理を行うことができる。
【００７０】
なお、上述の実施の形態では、映像処理を行う場合について説明したが、音声処理を行う場合にも処理する音声を示す音声情報を処理装置から処理制御装置に供給して、処理制御装置から供給された制御用データを用いて音声処理を行うものとしてもよい。さらにデータ放送の処理を行う場合に適用してもよい。
【図面の簡単な説明】
【００７１】
【図１】映像処理システムの構成を示す図である。
【図２】テレビジョン装置の構成を示す図である。
【図３】サーバの構成を示す図である。
【図４】映像処理システムの動作を示すフローチャートである。
【図５】制御用データを例示した図である。
【符号の説明】
【００７２】
１０・・・映像処理システム、１１・・・チューナ部、１５・・・アンテナ、２０・・・映像処理装置、２１・・・テレビジョン装置、４０・・・映像処理制御装置、４１・・・サーバ、６０・・・ネットワーク、２１１・・・チューナ部、２１２・・・映像記憶部、２１３・・・記録再生部、２１４・・・処理部、２１５・・・表示部、２２１・・・送信部、２２２・・・受信部、２３１・・・制御部、２３２・・・ユーザインタフェース部、４１１・・・受信部、４１２・・・制御用データ生成部、４１３・・・デバイス情報データベース、４１４・・・送信部、４１５・・・コンテンツ蓄積部
【図１】
2009135816.tif 000003
【図２】
2009135816.tif 000004
【図３】
2009135816.tif 000005
【図４】
2009135816.tif 000006
【図５】
2009135816.tif 000007